(57)【要約】【課題】比重差の２種類のプラスチック細片を水その他の比重液を利用して連続的にも断続的にも分離し、完全自動化も可能にし、分離作業効率を高める。【解決手段】液中比重分離装置１は、比重液Ｗより軽い、またそれより重い２種類の被分離プラスチック細片Ｐ２と水Ｗを混合する混合部１０と、そこから供給されるスラリーＳから水Ｗに浮いた軽い細片ＬＰを水Ｗと共に溢流として上部出口２４から、水中に懸濁している重い細片ＨＰを下部出口２５から各々分離し流出させる分離槽２０と、その下部出口２５に設けられ、分離槽内部において水面を上部出口レベルＬ１に維持したり、上部出口レベルＬ１と下部レベルＬ２までとの間で上下動させるように間欠的に開閉される開閉弁３１と、軽い細片ＬＰを水Ｗから分離し、また重い細片ＨＰを水から分離し、比重調節槽４０経て混合部１０に戻す各々第一篩３５及び第二篩３６とから構成されている。【選択図】　図１
2004057972.tif 000002
【特許請求の範囲】
【請求項１】
所定比重に設定された比重液と、比重液よりも軽い軽質プラスチック細片と比重液の比重以上の重い重質プラスチック細片を含んだ少なくとも２種類の被分離プラスチック細片とが供給されて混合する混合手段と、
頂部を開放し、周壁と底壁とで囲まれ、頂部から内部に上記混合手段から比重液と混合した被分離プラスチック細片がポンプによって供給されて、比重液に浮いた軽質プラスチック細片を比重液と共に溢流として周壁上部の上部出口から分離し、比重液中に懸濁している重質プラスチック細片を周壁の中間部から下部にかけての位置に設けられた下部出口から比重液と共に流出し、底壁の最低部から土砂等の重量物を排出する底部出口とを有する分離槽と、
該分離槽の下部出口に設けられ、該分離槽内部において比重液の液面を、上部出口レベルと下部出口より若干上の下部レベルとの間で上下動させるように間欠的に開閉される開閉弁と、
を含む液中比重分離設備。
【請求項２】
上記の設備が、さらに、
上記分離槽の上部出口から軽質プラスチック細片と比重液とが供給されて、それらを分離して軽質プラスチック細片を出口から排出し、比重液を上記混合手段に戻す第一篩手段と
上記開閉弁から重質プラスチック細片と比重液とが供給されて、それらを分離して重質プラスチック細片を出口から排出し、比重液を上記混合手段に戻す第二篩手段と、
を含む請求項１に記載のプラスチック細片の液中比重分離設備。
【請求項３】
上記の混合手段が、ポンプの吸入部に取り付けられて被分離プラスチック細片と比重液を供給する入口部を備えたケーシングと、該ケーシングの内部に延長された該ポンプの回転軸の延長部と、該延長部の周囲に設けられた複数の撹拌羽根と、から成る請求項１記載の設備。
【請求項４】
上記のケーシングの入口部が、ケーシングの上部に設けられ、該入口部には、被分離プラスチック細片が供給される細片入口部と、第一篩手段と第二篩手段からの比重液が供給される比重液入口と、を上部に有する縦長管が接続されている請求項３記載の設備。
【請求項５】
分離槽が、縦長槽である請求項１記載の設備。
【請求項６】
設備が、分離槽の上部出口の上縁位置に液面の上部出口レベルを検出する上部レベルセンサーと下部出口の上縁位置から若干上に液面の下部レベルを検出する下部レベルセンサーと、開閉弁を制御する制御手段を含み、
制御手段が、上部レベルセンサーの信号により開閉弁を開放し、下部レベルセンサーからの信号により開閉弁を閉止するように制御するようにした請求項１記載の設備。
【請求項７】
排出手段は、分離槽の底壁の最低部から分離槽の上部出口の上縁位置より高い位置に出口を有するように斜めに設けられたスクリューコンベヤから構成されている請求項１記載の設備。
【請求項８】
上記の設備が、第一篩手段と第二篩手段から排出した重液体の比重を測定して所定比重に調節して、ポンプに供給する比重調節装置を含む請求項２記載の設備。
【請求項９】
上記の分離槽が、その周壁を取り囲んで頂部からの軽質プラスチック細片を比重液との溢流を受けるように頂部を開放し、上部出口を有し、周壁と上部出口に向かって傾斜した底壁とで囲まれた溢流樋と、分離槽周壁の上方内部に支持されて混合した被分離プラスチック細片と比重液とが供給される内筒と、その外側の低い外筒と、内筒の下方の邪魔板と、液面を波立たせる撹乱手段とを有している請求項１記載の設備。
【発明の詳細な説明】
【０００１】
【発明の属する技術分野】
この発明は、比重差を利用して混合プラスチック細片から、軽質プラスチック細片と重質プラスチック細片とに分離する液中比重分離設備に関する。
【０００２】
【従来の技術】
プラスチックは、現在広範囲に使用されており、従って色々な分野から大量に廃棄されている。特に、近年、飲料容器用の各種のプラスチックが生活において利用され、毎年増え続けている。これに応じて、使用済みボトル、特に、ペットボトルが廃棄されるようになっている。
【０００３】
使用済みペットボトルは、ポリエチレンテレフタールを分離し回収して再生ペットボトルや再生繊維の製造に使用されている。他のプラスチックも、再生材として回収される他に、油化したり、ＲＤＦ等として固形化燃料として熱源に利用されている。
【０００４】
特に多いペットボトル（ＰＥＴボトル）は、本体がポリエチレンテレフタレート（ＰＥＴ）によって注型され、この容器に、ラベル包装フィルムがポリエチレン（ＰＥ）やポリプロピレン（ＰＰ）、ポリスチレン（ＰＳ）、ＰＥＴによって、キャップがＰＥＴやＰＰ、ＰＳ（内部ネジがＰＥＴ）によって、本体ネックネジ部がＰＥＴによって造られている。金属のキャップや紙ラベルも時々使用されている。
【０００５】
プラスチック細片の比重分離は、公知であり、ペットボトル破片を粉砕して、細片を水中に懸濁させ、軽質プラスチックのＰＰとＰＥは、水面近くに浮上し、中間部及び下部にＰＳが滞留し、それと一部オーバラップして底部に重質プラスチックのＰＥＴが沈む。この沈静分離を繰り返すことで、ＰＥＴを回収することができる。しかし、油分や色々な汚れの付着物の除去の為に、苛性ソーダ等を溶かしたアルカリ水が破片洗浄に使用されている。
【０００６】
【発明が解決しようとする課題】
このようなＰＰやＰＥのオレフィン系プラスチックは、比重が１より小さくて分離が簡単であるが、比重が１．０４前後のＰＳと比重が１．３４前後のＰＥＴとでは上述のように両者が一部オーバラップして沈静分離する傾向があり、沈静作業を断続的に繰り返す必要があったが、断続作業は作業効率が悪かった。特にＰＳとＰＥＴのオーバラップ層をＰＳの混入を回避するために捨てるのは、ＰＥＴの回収効率が悪いと言う問題があった。
【０００７】
また、比重が１．３８前後のポリ塩化ビニルＰＶＣ等を他の塩素含有樹脂を、他のプラスチックから分離する技術の開発も待望されている。近年、水と混合して、また温度管理によって１．０４から１．８０までの間で比重を任意に設定できる新しい比重液も開発されて来ており、水やそれより重い比重液を利用して連続的に比重差分離を行う装置や設備の開発が待望されている。
【０００８】
本発明は、上記に鑑みて提案されたものであって、比重差のある少なくとも２種類のプラスチック細片を水や他の比重液を利用して連続的に分離でき、完全自動化もできる分離作業効率の高いプラスチック細片の液中比重分離設備を提供することを目的としている。
【０００９】
【課題を解決するための手段】
本発明のプラスチック細片の液中比重分離設備は、所定比重に設定された比重液と、比重液よりも軽質プラスチック細片と比重液の比重以上の重質プラスチック細片を含んだ少なくとも２種類の被分離プラスチック細片とが供給されて混合する混合手段と、頂部を開放し、周壁と底壁とで囲まれ、頂部から内部に混合手段から混合した被分離プラスチック細片がポンプによって供給されて、比重液に浮いた軽質プラスチック細片を比重液と共に溢流として周壁上部の上部出口から分離し、比重液中に懸濁している重質プラスチック細片を周壁の中間部から下部にかけての位置に設けられた下部出口から比重液と共に流出し、底壁の最低部から土砂等の重量物を排出する底部出口とを有する分離槽と、該分離槽の下部出口に設けられ、該分離槽内部において比重液の液面を上部出口レベルに維持したり、又は上部出口レベルと下部出口より若干上の下部レベルまでの間で上下動させるように間欠的に開閉される開閉弁と、分離槽の底部出口に設けられ、土砂等の重量物を排出する排出手段と、分離槽の上部出口から軽質プラスチック細片と比重液とが供給されて、それらを分離して軽質プラスチック細片を出口から排出し、比重液を混合手段に戻す第一篩手段と開閉弁から重質プラスチック細片と比重液とが供給されて、それらを分離して重質プラスチック細片を出口から排出し、比重液を混合手段に戻す第二篩手段とから構成されていることを特徴としている。
【００１０】
【発明の実施の形態】
混合手段において所定比重の液体に比重液よりも軽質プラスチック細片と比重液の比重以上の重質プラスチック細片を含んだ少なくとも２種類の被分離プラスチック細片が混合されてからポンプによって連続的に分離槽に供給される。
【００１１】
分離槽内では、比重液に浮く軽質プラスチック細片は、上部出口から溢流と共に第一篩手段へ供給されてそこで分離され、比重液中に懸濁している重質プラスチック細片は、開閉弁の開放で流出する比重液と共に第二篩手段へ供給されてそこで分離される。土砂等の重量物は分離槽の底部出口から排出手段によって排出される。
【００１２】
分離槽への供給量と流出量を釣り合わせるように下部出口の開閉弁を調節して常時上部出口から軽質プラスチック細片を比重液と共に分離流出し下部出口から重質プラスチック細片を比重液と共に分離流出させることができる。
【００１３】
分離槽への供給量と流出量を釣り合わせるのが難しくても、分離槽の上部出口レベルと下部レベルまでとの間で液面を上下動させるように周期的に又は間欠的に、開閉弁を開閉することもでき、分離作業を続行することができる。これにより、懸濁している重質プラスチック細片は上部出口から流出するのが防止され、浮いている軽質プラスチック細片は、液面が下部出口まで下がらない内に開閉弁が閉鎖されて上昇されるので重質プラスチック細片と共に下部出口から流出することがない。
【００１４】
さらに、液面制御は、分離槽への供給量と、上部出口と下部出口からの流出量とを予測して開閉弁の開閉周期を決定してその開閉を自動化することで本液中比重分離設備の自動化が達成され、作業効率を向上することができる。
【００１５】
特に、幾つかの分離槽を直列に配置して、各分離槽間で、徐々に比重の大きい比重液を利用することにより、プラスチック細片の分離精度を高めることができる。
【００１６】
被分離プラスチック細片は、プラスチック材が粉砕機によって約５〜３０ｍｍ平方に破砕されて得られ、定量供給機を経て混合手段に定量供給される構成とでき、細かくすることで細片が重なり合う機会を少なくすると共に、気泡の影響を受けににくくでき、分離精度を高めることができる。
【００１７】
また、混合手段では、一定流量で供給されて来る比重液に対してプラスチック細片も定量供給機を経て供給することにより、分離に適した定量供給量を設定し、分離精度を高めることができる。
【００１８】
混合手段は、ポンプの吸入部に取り付けられ、被分離プラスチック細片と比重液が供給される入口部を備えたケーシングと、該ケーシングの内部に延長された該ポンプの回転軸の延長部と、該延長部の周囲に設けられた複数の撹拌羽根とから構成され、従来別設されていた混合槽をポンプに一体に組み込むことで配管が省略され、また撹拌羽根をポンプの回転軸の延長部で回転駆動するので混合と供給の構成が非常にコンパクトになる。
【００１９】
入口部は、ケーシングの上部に設けられており、また被分離プラスチック細片が供給される細片入口部と、第一篩手段と第二篩手段からの比重液が供給される比重液入口部とを上部に有する上下に長い縦長管が接続され、定量供給されたプラスチック細片をすぐに比重液と共に吸引し一定混合率を維持しつつも、プラスチック細片の供給入口からの空気の吸い込みを最少限に抑制して気泡による分離精度の悪化を防ぐことができる。
【００２０】
分離槽は、大きな容積の上下に長い縦長槽から構成され、大きな容積によって下部開閉弁の開放による旋回流等の早い流れの発生が防止され、液面に浮いている軽質プラスチック細片の吸い込みを防いで分離精度の悪化を防止しできる。また上下に長い縦長槽により、軽質プラスチック細片と重質プラスチック細片との分離距離を大きくできて分離精度を高めることができる。
【００２１】
設備は、好ましくは、分離槽の上部出口の上縁位置に液面の上部出口レベルを検出する上部レベルセンサーと下部出口の上縁位置から若干上に液面の下部レベルを検出する下部レベルセンサーと、開閉弁を制御する制御手段を含み、制御手段が、上部レベルセンサーの信号により開閉弁を開放し、下部レベルセンサーからの信号により開閉弁を閉止するように制御する。分離槽に供給される混合プラスチック細片と比重液とから成るのスラリーと、上部出口と下部出口から流出する量のバランスが崩れても、両レベルセンサーによって自動運転が可能になる。
【００２２】
排出手段は、分離槽の底壁の最低部から分離槽の上部出口の上縁位置より高い位置に出口を有するように斜めに設けられたスクリューコンベヤが利用できる。
これにより、分離槽の底壁の最低部を常時開放状態にして土砂等の異物をスクリューコンベヤによって水きりをしながら常時排出でき、液体の損失を最少限に抑えることができる。
【００２３】
第一篩手段と第二篩手段からの比重液は、比重調節槽に供給されて、該比重調節槽において比重が比重計で測定して、所定比重に調節することが好ましい。分離槽に供給する前に比重液の比重制御をすることが、分離精度を高める上で好ましい。
【００２４】
分離槽の上部には、その周壁を取り囲んで頂部からの軽質プラスチック細片を比重液との溢流を受けるように頂部を開放し、上部出口を有し、周壁と上部出口に向かって傾斜した底壁とで囲まれた溢流樋を含むが、さらに、分離槽周壁の上方内部に支持されて混合した被分離プラスチック細片と比重液とが供給される内筒と、その外側の低い外筒と、内筒の下方の邪魔板と、を備えるものが好ましい。内筒から供給される比重差のあるプラスチック細片を邪魔板に当てて分離を促進することができる。
【００２５】
さらに、液面に浮いた軽質プラスチック細片の溢流樋への溢流による落下を促進するために、液面を攪拌する撹乱手段を設けるのが好ましい。
【００２６】
【実施例】
次に、本発明のプラスチック細片の液中比重分離設備の実施例として、使用済みペットボトルの破片からＰＰやＰＥの軽質プラスチック細片とＰＳやＰＥＴの重質プラスチック細片とを分離することを説明する。
【００２７】
実施例に係る液中比重分離装置１は、水中に混合し撹拌後に、水中に上部と下部の　分離槽が比較的明瞭に生じる程比重差が大きいプラスチック片の分離に使用する例を示す。このような例として、オレフィン系のＰＰやＰＥ（比重が約０．９３〜０．９５）等の軽質プラスチック細片ＬＰと、ＰＳ（比重が約１．０４）及びＰＥＴ（比重が約１．３４）や、塩素を含んだＰＶＣ等の重質プラスチック細片ＨＰとの分離がある。
【００２８】
リサイクル対象物のプラスチック廃棄物は、破砕機により所望の大きさに破砕され、破片が比重分離装置２０に送られる。その前処理として、図２には、破砕工程を示している。この図２の例では、廃棄物は、破砕工程においては、予め、石や木片、金属片、着色プラスチックシースチック容器等の異物を除去し、粗砕機５により約５０ｍｍ前後の粗い破片Ｐ１に粗砕される。破片Ｐ１は、風力選別機によって紙やフィルムが粗砕片から分離され、ドラム磁選機とアルミセパレータに供給され、それぞれキャップ等の磁性金属片とアルミキャップ片とが分離される。
【００２９】
その後に、粗砕片Ｐ１は、粉砕機５に供給されて一辺約５ｍｍから約３０ｍｍの細かい被分離プラスチック細片Ｐ２に粉砕される。細かくすることにより、液中での分離処理中に、細片Ｐ２が重なり合う機会を少なくなり、液中での分散が容易で、気泡の影響を受けないで、分離精度を高める。
【００３０】
図２において、粉砕機５からの被分離プラスチック細片Ｐ２は、一旦定量供給機６に供給されてから一定量づつ混合部１０に供給されて、比重液の水Ｗと混合される。混合部１０に一定流量で供給されて来る水Ｗに対して、プラスチック細片Ｐ２も分離に適した供給量が定量供給機６によって設定されている。
【００３１】
混合部１０は、図３に示すように、ポンプ１５の吸入部１７に取り付けられ、被分離プラスチック細片Ｐ２と水Ｗが供給される入口部１１Ａを備えたケーシング１１と、該ケーシング１１の内部に延長されたポンプ回転軸１６の延長部１２と、該延長部１２の周囲に設けられた複数の撹拌羽根１３とから構成されている。
【００３２】
従来別設されていた混合槽をポンプに一体に組み込んだこのような構造によって配管を省略し、また撹拌羽根１３をポンプ回転軸１６の延長部１２で回転駆動するようにしているので混合と供給の構成が非常にコンパクトに構成されている。
【００３３】
入口部１１Ａは、ポンプ１５から遠いケーシング１１の端部の上部に設けられており、また被分離プラスチック細片Ｐ２が供給される頂部入口１４Ａと、比重点検調節槽４０からの戻りの水Ｗが供給される横入口１４Ｂを上部に有する上下に長い縦長管１４が接続されており、定量供給されて来るプラスチック細片Ｐ２をすぐに戻りの水Ｗと共に吸引して一定混合率を維持しつつも、プラスチック細片Ｐ２の供給頂部入口１４Ａからの空気の吸い込みを最少限に抑制して気泡による分離精度の悪化を防いでいる。
【００３４】
図１と図４には、本発明の実施例に係る分離槽２０を示すが、　分離槽２０には、被分離プラスチックＰは、比重液より比重の大きい重質プラスチック細片と、比重の小さい軽質プラスチック細片とを含んで、比重液と共に混合して、スラリーとして供給される。
【００３５】
この実施例の分離槽２０は、円筒状の周壁２２を備えた縦長の容器となし、容器上部を開放して溢流頂部２１として、その直下の周壁外周に溢流樋５５を備え、溢流樋５５には、上部出口部２１で、配管に接続されている。分離槽２０の中間部位には、下方に開口した捕獲管２５１を設け、下部捕獲管路２５１からの配管を周壁２２に貫通させて下部出口部２５に接続されている。分離槽２０の下底部には、逆円錐状底壁２３を備えて、底部出口２６を設けている。
【００３６】
頂部２１から槽内に供給されたスラリーＳは、その液面が溢流頂部２１に位置して、混合液を周壁頂部から溢流させて、周壁外周に設けた樋部から、上部出口２４を通って排出するように、連続的に又は間欠的に液面の制御がされる。
【００３７】
液面の調節は、分離槽２０への供給量に対して流出量を調節してもよく、分離槽２０からの流出量に対して分離槽２０へのスラリーＳの供給量を調節してもよい。また、多少液面が上下に変動してもよいように、上部出口２４は上下に長い長方形状が好ましい。
【００３８】
このような構造の分離槽２０は、比重液の水Ｗに浮いた軽質プラスチック細片ＬＰを水Ｗと共に溢流頂部２１から溢流として流出させ、溢流樋５５を通じて上部出口２４から第一篩３５へ流出分離させる。
【００３９】
他方、水中に懸濁している重質プラスチック細片ＨＰを周壁下部の下部出口２５から水Ｗと共に第二篩３６へ流出分離させる。底壁２３の最低部の底部出口２６から土砂等の重量物を排出する。
【００４０】
分離槽２０は、大きな容積の上下に長い縦長槽から構成されているので、下部出口２５からの流出は、旋回流等の早い流れの渦の発生を防止しており、液面に浮いている軽質プラスチック細片ＬＰの渦への吸い込みを防いで分離精度の悪化を防止している。また上下に長い縦長槽により、軽質プラスチック細片ＬＰと重質プラスチック細片ＨＰとの分離距離を大きして分離精度を高めるようにしている。
【００４１】
図５は、上記実施例の変形例を示すが、この例は、上記実施例のスラリー供給部位の構造を改良したもので、分離槽周壁５２の上方内部に内筒６１を配置て、混合された被分離プラスチック細片Ｐ２と比重液Ｗとを供給し、内筒６１の下端部直下には、上方に反った形状の邪魔板６３を配置し、さらに、内筒の下端部を取り囲んで、溢流頂部よりレベルの低い外筒６２を配置している。
【００４２】
この例では、内筒内に投入されたスラリーが、直下の邪魔板６２に遮られて、上方に軽質ブラスチック細片ＬＰを含む上昇流を外筒６２内に作って溢流頂部の液面にまで上昇させ、たほう、邪魔板６３の周辺からは、重質プラスチック細片ＨＰを伴なって下降する下降流を作って、降下させるもので、これにより、プラスチック細片の軽質と重質の分離が促進される。
【００４３】
さらに、この変形例は、撹乱装置６４を設けており、液面に浮いた軽質プラスチック細片ＬＰが分離槽５０の溢流頂部５１に滞留しがちになるので、撹乱装置６４によって樋部５５への比重液Ｗの溢流による落下を促進するようにしている。この分離装置は、液面を波立たせる撹乱装置６４を備えており、撹乱装置６４は、回転軸６５によってクランク６６を介して液面に対して上下動する波立て筒体６７とを含む。筒体により液面を泡立てて、液面に捕獲されたプラスチック細片を液中に分散させて、重質と軽質とのプラスチック細片の分離を高めるものである。
【００４４】
他の撹乱装置６４には、分離槽５０内に、間欠的に圧力空気を吹きこむ空気配管を備えることもできる。
【００４５】
図１において、上記の実施例と変形例には共通して、底部出口２６には、分離槽２０の上部出口２４の上縁位置より高い位置に出口２７Ａを有するように斜めに設けられたスクリューコンベヤ２７が接続されており、底部出口２６を常時開放状態にして土砂等の異物をスクリューコンベヤ２７によって水きりをしながら常時排出でき、液体の損失を最少限に抑えるようにしている。
【００４６】
下部出口２５は、比重液と重質プラスチック細片との混合液が排出されるが、この下部出口２５には開閉弁３１を節族して、スラリーＳの液面が常に溢流頂部２１に位置して、溢流するように分離槽２０への供給量に対して下部出口２５からの流出量を調節設定している。この開閉弁３１の開度調節によって分離槽２０への供給量と流出量を釣り合わせて常時上部出口２４から軽質プラスチック細片ＬＰを水Ｗと共に分離流出させることができる。
【００４７】
尤も、分離槽２０への供給量と流出量を釣り合わせるのが難しい場合には、図４に示す如く、分離槽２０の上部出口レベルＬ１と下部レベルＬ２までとの間で液面を上下動させるように、レベルセンサーＳ１、Ｓ２と、タイマーによって周期的に開閉弁３１を開閉制御することにより、分離作業を続行することもできる。
【００４８】
このような開閉弁の制御は、液面が下部出口２５のレベルにまで低下しないように、開閉弁３１を閉鎖して、再び液面を上昇させて、液面に浮遊する軽質プラスチック細片ＬＰが、下部出口２５から流出することを防止する。
【００４９】
タイマー制御の場合は、分離槽２０への供給量と、上部出口２４と下部出口２５からの流出量とを予測して、開閉弁３１の開閉周期を算定してその周期にタイマーは設定される。
【００５０】
センサー制御の場合、分離槽２０の周壁２２には、上部出口２４の上縁位置に液面の上部出口レベルＬ１を検出する上部レベルセンサーＳ１と下部出口２５の上縁位置から若干上に液面の下部レベルＬ２を検出する下部レベルセンサーＳ２とが設けられ、開閉弁３１は上部レベルセンサーＳ１によって開放され、下部レベルセンサーＳ２によって閉鎖されるように制御され、液面を上下行程Ｄに渡って上下動させる電動弁から構成されている。分離槽２０に供給されて来る混合プラスチック細片Ｐ２と比重液Ｗとから成るスラリーＳと、上部出口２４と下部出口２５から流出する量のバランスが崩れても、両レベルセンサーＳ１、Ｓ２によって自動運転が続行される。
【００５１】
第一篩３５は、分離槽２０の上部出口２４から軽質プラスチック細片ＬＰと比重液Ｗとが供給されて、それらを振動篩で分離して軽質プラスチック細片ＬＰを出口３５Ａから排出し、比重液Ｗを比重点検調節槽４０に戻す。第二篩３６は、開閉弁３１から重質プラスチック細片ＨＰと比重液Ｗとが供給されて、それらを振動篩で分離して重質プラスチック細片ＨＰを出口３６Ａから排出し、比重液Ｗを比重点検調節槽４０に戻す。比重点検調節槽４０では、比重液Ｗは比重計４２で比重が点検され、比重液の追加やヒータ４３による温度管理によって所定比重に調節される。分離槽２０の前で点検することで分離精度の悪化を防止することができる。
【００５２】
上記の構成のプラスチック細片の比重分離設備１は、水を比重液として使用しているが、水よりも小さい比重の液体を使用して比重調節してＰＰとＰＥをさらに、分離したり、さらに、現在開発されていて、水と混合して１．０４から１．８０までの間で比重を任意に設定できる新しい比重液を使用してさらに、、ＰＳとＰＥＴを分離することもできる。段階的に分離して行く場合、本液体中比重分離設備を連続的に設けることができる。
【図面の簡単な説明】
【図１】本発明の実施例に係るプラスチック細片の液中比重分離設備に使用する分離槽の模式的外観図。
【図２】図１に示した分離槽に接続される液中比重分離設備の外観図である。
【図３】本発明の実施例に使用する混合供給ポンプを概略説明する断面図である。
【図４】本発明の実施例に係る分離槽の模式的断面図である。
【図５】本発明の実施例に係る分離槽の模式的断面図である。
【符号の説明】
５　　粉砕機
６　　定量供給機
１０　混合手段
１１　ケーシング
１１Ａ　入口部
１２　ポンプ回転軸の延長部
１３　撹拌羽根
１５　ポンプ
１６　回転軸
２０　分離槽
２１　溢流頂部
２２　周壁
２３　底壁
２４　上部出口
２５　下部出口
２６　底部出口
２７　排出手段
３１　開閉弁
３５　第一篩手段
３６　第二篩手段
４０　比重調節槽
５５　溢流樋
５８　底壁
６１　内筒
６２　外筒
６３　邪魔板
ＨＰ　重質プラスチック細片
ＬＰ　軽質プラスチック細片
Ｗ　　比重液（水）
【図１】
2004057972.tif 000003
【図２】
2004057972.tif 000004
【図３】
2004057972.tif 000005
【図４】
2004057972.tif 000006
【図５】
2004057972.tif 000007